(57)【要約】【課題】取り付けが便利で、ランプの投射方向の調整が可能な照明装置を提供する。【解決手段】照明装置は、照明器具１０とジョイント２０とからなる。ジョイント２０は外殻２００に、第一接続部２１０及び第二接続部２２０を設ける。第一接続部２１０と第二接続部２２０とは外殻２００の内部にて、電気的に接続される。また、各接続部２１０、２２０は回動自在に、別のジョイント２０の対応する接続部２１０、２２０に枢設、接続される。照明器具１０はシャーシ１００と、ランプと、光の透過板１２０とからなる。シャーシ１００の表面に、電気接続ユニット１１２を設置する。順に複数の照明器具１０及びジョイント２０を接続すると、各ジョイント２０と照明器具１０とはそれぞれ対応する第一接続部２１０、第二接続部２２０又は電気接続ユニット１１２により相互に接続される。【選択図】図１
0003140515.tif 000002
【実用新案登録請求の範囲】
【請求項１】
少なくとも一つのジョイントと、
少なくとも一つの照明器具と、
を備え、
前記ジョイントは外殻に、少なくとも一つの第一接続部及び少なくとも一つの第二接続部を設け、前記第一接続部と前記第二接続部は前記外殻の内部にて電気的に接続され、
前記照明器具は電気的に前記ジョイントの前記第一接続部又は前記第二接続部に枢設、接続されることを特徴とする照明装置。
【請求項２】
前記ジョイントの前記外殻は円柱状であって、前記外殻の一端及び前記外殻の両端間の表面に前記第一接続部を設け、前記外殻の別端に前期第二接続部を設けることを特徴とする請求項１に記載の照明装置。
【請求項３】
前記ジョイントの前記外殻は円柱状であって、前記外殻の一端に前記第一接続部を設け、前記外殻の別端に前記第二接続部を設けることを特徴とする請求項１に記載の照明装置。
【請求項４】
前記ジョイントの前記外殻は十字形状であって、前記外殻の各端及び前記外殻の上面にそれぞれ前記第一接続部を設け、前記外殻の底面に前記第二接続部を設けることを特徴とする請求項１に記載の照明装置。
【請求項５】
前記ジョイントの前記外殻は十字形状であって、前記外殻の各端にそれぞれ前記第一接続部を設け、前記外殻の底面に前記第二接続部を設けることを特徴とする請求項１に記載の照明装置。
【請求項６】
前記ジョイントの前記外殻はＴ字形状であって、前記外殻の各端にそれぞれ前記第一接続部を設け、前記外殻の底面に前記第二接続部を設けることを特徴とする請求項１に記載の照明装置。
【請求項７】
前記ジョイントの外殻はＬ字形状であって、前記外殻の両端にそれぞれ前記第一接続部を設け、前記外殻の両端間の表面に前記第二接続部を設けることを特徴とする請求項１に記載の照明装置。
【請求項８】
前記ジョイントの前記外殻はＬ字形状であって、前記外殻の一端に前記第一接続部を設け、前記外殻の別端に前記第二接続部を設けることを特徴とする請求項１に記載の照明装置。
【請求項９】
前記照明器具は、
収容空間を設けるシャーシと、
前記収容空間に設置されるランプと、
前記シャーシが前記ランプの光投射方向に向き合う箇所に配置される光の透過板と、
前記ランプと電気的に接続し、一端が前記シャーシの一側から延出し、前記ジョイントの前記第一接続部又は前記第二接続部に電気的に枢設、接続される電気接続ユニットと、
を有することを特徴とする請求項１に記載の照明装置。
【請求項１０】
前記ランプは、
前記電気接続ユニットに電気的に接続する回路基板と、
前記回路基板に電気的に接続し、前記回路基板が光の透過板に向き合う箇所に配置される発光ユニットと、
を有することを特徴とする請求項９に記載の照明装置。
【請求項１１】
前記発光ユニットはＬＥＤであることを特徴とする請求項１０に記載の照明装置。
【請求項１２】
前記ジョイントの前記外殻において、前記第一接続部と接続する箇所に、それぞれ第一スナップイン部を設け、
前記ジョイントの前記外殻において、前記第二接続部と接続する箇所に、それぞれ第二スナップイン部を設けることを特徴とする請求項９に記載の照明装置。
【請求項１３】
前記照明器具において、前記電気接続ユニットが前記シャーシに近い箇所に第三スナップイン部を設けることを特徴とする請求項１２に記載の照明装置。
【請求項１４】
別の外殻と、
前記別の外殻の一端に設けられる電源受け部と、
前記別の外殻の他端に設けられて、前記別の外殻内部にて、電気的に電源受け部に接続され、前記ジョイントの前記第一接続部又は前記第二接続部のいずれか一つに電気的に枢設、接続される電気輸送部と、
を有する台座を備えることを特徴とする請求項１に記載の照明装置。
【請求項１５】
前記第一接続部は突き出した雄コネクター又は凹んだ雌コネクターであることを特徴とする請求項１に記載の照明装置。
【請求項１６】
前記第二接続部は突き出した雄コネクター又は凹んだ雌コネクターであることを特徴とする請求項１に記載の照明装置。
【請求項１７】
前記雄コネクターは電源のプラグの形状であって、前記雌コネクターは電源のソケットの形状であることを特徴とする請求項１５に記載の照明装置。
【請求項１８】
前記雄コネクターはイヤホンのプラグの形状、前記雌コネクターはイヤホンのソケットの形状であることを特徴とする請求項１５に記載の照明装置。
【請求項１９】
前記雄コネクターは電源のプラグの形状、前記雌コネクターは電源のソケットの形状であることを特徴とする請求項１６に記載の照明装置。
【請求項２０】
前記雄コネクターはイヤホンのプラグの形状、前記雌コネクターはイヤホンのソケットの形状であることを特徴とする請求項１６に記載の照明器具及びジョイントのアセンブリ構造。
【考案の詳細な説明】
【技術分野】
【０００１】
本考案は、照明装置に関する。特に、照明器具とジョイントとが、相互に挿入、接続し、両者が接続の軸を中心に単独に回動可能で、照明器具を調整して異なる方向及び角度へ向かって照明を行うものに関する。
【背景技術】
【０００２】
従来のレールランプのシステムは米国特許第４６８８１５４号明細書に開示されているように、相互に接続するレールユニットが複数ある。それらのレールユニットは接続装置で、相互の接続を経由して、レール部を形成する。また、当該レール部が相互に電気的に接続される。そして、レール部の一端におけるレールユニットは電力を別端のレールユニットへ伝送される。さらに、各レールユニットには、ランプが移動自在に嵌め込まれ、ランプの発光に必要な電力が供給される。
【考案の開示】
【考案が解決しようとする課題】
【０００３】
このようなレールランプシステムは伝統的なレールランプの様々な問題を解決できるが、使用と取付に関しては、依然として不便である。
（ア）レールランプシステムの取り付けにおける不便は、ユーザが各レールユニットを対応する接続装置で、レール部に接続したあとで、レール部を壁のある位置に締め付け、レール部で、各ランプを着脱するときに、ユーザは各ランプをレール部の末端から嵌め込み、それらを予定の位置まで滑らせて動かし、又は、各ランプをレール部の末端まで滑らせて動かして、それらを取り出さなければならないことである。つまり、ランプを着脱するとき、ユーザは取付および取外しの時間がかかり不便である。
【０００４】
（イ）レールランプシステムの使用における不便は、ユーザが任意にランプの位置を滑らせて動かすとき、各ランプがレールユニットの嵌め込む片側へのみ向かって発光することである。すなわち、レールランプの投射方向が調整できず、レールユニットの反対側へ投射できない。その結果、室内の飾り、特定照明のニーズにおいて、レールランプのシステムがユーザを満足することは出来ない。
いかに改良の照明製品を設計し前掲の欠陥を克服するかということは、各製造業者が直面する大きな課題である。
【課題を解決するための手段】
【０００５】
以上の問題を解決するため、本考案に係る照明装置の照明器具は、シャーシと、ランプと、光の透過板とからなる。ランプはシャーシに取り付けられる。光の透過板はシャーシの表面において、ランプの光投射に向き合う箇所に設けられる。シャーシの表面に、少なくとも、一つの電気接続ユニットを配置する。ランプがその一つの電気接続ユニットから、電力供給を受けるときに、ランプは光の透過板の方向へ投射する。照明器具のほかの電気接続ユニットならば、他の物品（例えば、照明器具、ジョイント）を挿入、接続することができ、供給電源を当該物品へ伝送する。それらの照明器具及び物品は皆、相互に接続する軸を中心に単独で回動できる。これにより、照明器具は多様な方向及び異なる角度へ向かって調整できる。
【０００６】
さらに本考案に係る照明装置は、ジョイントを備える。ジョイントは外殻を有する。ジョイントは外殻に、少なくとも一つの第一接続部及び少なくとも一つの第二接続部を有する。一方、第一接続部及び第二接続部は外殻の内部にて、電気的に接続される。また、各接続部は回動自在に、対応する物品（例えば、器具又は別のジョイント）に接続され、供給電源を当該物品へ伝送する。各ジョイントと照明器具は皆、相互に接続する軸を中心に単独で回動できるので、多様な方向及び異なる角度へ向かって調整できる。
【０００７】
本考案に係る照明装置は、少なくとも一つの照明器具と、少なくとも一つのジョイントとからなる。ジョイントは外殻に、少なくとも一つの第一接続部及び少なくとも一つの第二接続部を設ける。一方、第一接続部と第二接続部とは外殻の内部にて、電気的に接続される。また、各接続部は回動自在に、別のジョイントの対応する接続部に枢設、接続される。照明器具はシャーシと、ランプと、光の透過板とからなる。ランプはシャーシの中に設置される。光透過板はシャーシの表面において、ランプの光投射に向き合う箇所に配置される。また、シャーシの表面に、少なくとも一つの電気接続ユニットを設置する。ユーザが順に、複数の照明器具及びジョイントを接続すると、各ジョイントと照明器具とはそれぞれ対応する第一接続部、第二接続部又は電気接続ユニットで相互に接続される。各ジョイント及び照明器具は皆、相互に接続する軸を中心に単独で回動できる。これにより、照明器具は多様な方向及び異なる角度へ向かって照明を行うことができる。
【考案を実施するための最良の形態】
【０００８】
以下、本考案の実施の形態を図面に基づいて詳しく説明する。
（一実施形態）
本考案の一実施形態による照明装置は、図１に示すように、少なくとも一つの照明器具１０とジョイント２０とを備える。ジョイント２０の表面に、少なくとも一つの第一接続部２１０及び少なくとも一つの第二接続部２２０を設ける。一方、第一接続部２１０及び第二接続部２２０はジョイント２０の内部にて、電気的に接続される（図２参照）。また、各第一接続部２１０及び第二接続部２２０は、回動自在に別のジョイント２０の対応する第二接続部２２０及び第一接続部２１０に枢設、接続され、供給電力を当該ジョイント２０へ伝送する。図３ａに示すように、照明器具１０はシャーシ１００とランプ１１０と光の透過板１２０とからなる。ランプ１１０はシャーシ１００の中に設けられる。シャーシ１００の表面には、ランプ１１０の光投射に向き合う箇所に、光透過板１２０を配置する。また、シャーシ１００の表面に、少なくとも一つの電気接続ユニット１１２を設置する。それら電気接続ユニット１１２は、電気的にランプ１１０及び一つの第一接続部２１０又は第二接続部２２０と接続される。
【０００９】
図２及び図４ａから図４ｃに示すように、ユーザが順に複数の照明器具１０及びジョイント２０を接続すると、各ジョイント２０と照明器具１０とは、それぞれ対応する第一接続部２１０、第二接続部２２０又は電気接続ユニット１１２により相互に接続される。さらに、いずれのジョイント２０及び照明器具１０も皆、相互に接続したジョイント２０及び照明器具１０の第一軸Ａ又は第二軸Ｂを中心に単独で回動できる。各ジョイント２０に照明器具１０を挿入、接続すれば、各ジョイント２０は挿入、接続した照明器具１０を第一軸Ａを中心に回動させ（図２及び図４ａ参照）、照明器具１０の外への発光の異なる角度を提供する。また、照明器具１０はジョイント２０の片側の第一接続部２１０を経由し、第二軸Ｂを中心に回動できる（図２及び図４ｂ参照）。第一軸Ａ及び第二軸Ｂは、概ね相互に直交する。照明器具１０は第二軸Ｂを中心に回動したあとで、ジョイント２０とともに第一軸Ａを中心に回動する（図２及び図４ｃ参照）。そして、多数の相互に接続するジョイント２０及びその箇所における照明器具１０を合わせると、照明器具１０及びジョイント２０は異なる位置に応じて、異なる方向の回転特性が生じる。様々な組合せにより、照明器具１０は、いずれの位置でも様々な方向へ照射するニーズを十分に満足できる。つまり、ジョイント２０又は照明器具１０はそれらの第一接続部２１０及び第二接続部２２０と電気接続ユニット１１２とが外殻２００又はシャーシ１００に設置される位置に応じて、皆、ジョイント２０又は照明器具１０との相互に接続する軸を中心に単独で回動できる。
【００１０】
図５ａに示すのは、本考案の一実施形態の照明装置におけるジョイント２０である。ジョイント２０は円柱状の外殻２００がある。外殻２００の一端及び一側にそれぞれ第一接続部２１０を設ける。外殻２００の別端に、第二接続部２２０を設ける。第一接続部２１０は凹んだ雌コネクターであり、第二接続部２２０は突き出した雄コネクターである。
【００１１】
図１に示すように、外殻２００において、それらの第一接続部２１０と接続する箇所に、それぞれ、第一スナップイン部２３０（例えば、凹溝又は凸柱）を設ける。外殻２００において、それらの第二接続部２２０と接続する箇所に、それぞれ、第二スナップイン部２４０（例えば、凹溝又は凸柱）を設ける。それで、ジョイント２０と別のジョイント２０とが相互に接続すると、ジョイント２０は、第一スナップイン部２３０又は第二スナップイン部２４０を経由し、別のジョイント２０の対応する第一スナップイン部２３０又は第二スナップイン部２４０、又は照明器具１０の対応する電気接続ユニット１１２に嵌め込まれる。その結果、ジョイント２０は安定かつ丈夫に、別のジョイント２０又は照明器具１０に挿入、接続されると同時に、ジョイント２０、別のジョイント２０及び照明器具１０も、相互に接続する軸を中心に回動できる。
【００１２】
図２に示すように、雌コネクター（例えば、電源コンセント又はイヤホンソケットの形状）の内壁に、第一負極体２１１がある。雌コネクターの内壁に囲まれたエリアの中央に、第一正極体２１２がある。それに対して、雄コネクター（例えば、３．５ｍｍ電源プラグ又は２．５ｍｍイヤホンプラグの形状）の側壁に、第二負極体２２１が配置される。雄コネクターの中央に、凹むように第二正極体２２２が配置される。第一正極体２１２と第二正極体２２２、及び第一負極体２１１と第二負極体２２１は外殻２００の内部で電気的に接続されている。ジョイント２０が別のジョイント２０又は照明器具１０と接続すると、ジョイント２０の電気伝導を経由し、電力を別のジョイント２０又は照明器具１０へ供給する。ジョイント２０は図６に示すように、電力の供給、伝送装置となる。
【００１３】
図３ａに示すように、照明器具１０のシャーシ１００の一端に開口１０１がある。シャーシ１００の中に、収容空間１０２が設けられる。収容空間１０２と開口１０１とは連通している。光の透過板１２０は開口１０１の上に配置され、開口１０１を覆う。ランプ１１０は収容空間１０２の中に取り付けられる。また、ランプ１１０は回路基板１１１及び発光ユニット１１３（例えば、ＬＥＤ）を有する。発光ユニット１１３は回路基板１１１と電気的に接続され、かつ、収容空間１０２の中において、光の透過板１２０に向き合う箇所に設置される。ランプ１１０の片側に、電気接続ユニット１１２（例えば、３．５ｍｍ電源プラグ又は２．５ｍｍイヤホンプラグの形状）を設ける。電気接続ユニット１１２は電気的に、ランプ１１０の回路基板１１１に接続される。電気接続ユニット１１２はシャーシ１００の片側から延出し、ジョイント２０の第一接続部２１０又は第二接続部２２０に対応し、その一つの第一接続部２１０又は第二接続部２２０に枢設、接続される。そして、照明器具１０はジョイント２０から、電力供給を受ける。照明器具１０及びジョイント２０は皆、相互に接続する軸を中心に単独に回動できる。これにより、照明器具１０は異なる角度へ向かって、発光を行うことができる（図４ａから４ｃ参照）。
【００１４】
また、照明器具１０は電気接続ユニット１１２のシャーシ１００に近い位置に、第三スナップイン部１１４を設ける。照明器具１０は第三スナップイン部１１４を経由し、ジョイント２０の対応する第一スナップイン部２３０又は第二スナップイン部２４０に嵌め込まれる。そして、照明器具１０は安定かつ丈夫に、ジョイント２０に挿入、接続されると同時に、照明器具１０もジョイント２０で回動できる。
【００１５】
図１に示すように、ジョイント２０又は照明器具１０のその一つは台座４０に接続される。台座４０は別の外殻４００を有する。別の外殻４００は円柱状である。その一端に、電源の受け部４１０（雄プラグ又は雌ソケット）があって、電源のコンセントに接続される。その別端に、電気輸送部４２０（例えば、３．５ｍｍ電源プラグ又は２．５ｍｍイヤホンプラグの形状）を設けて、それらの第一接続部２１０または第二接続部２２０のいずれかに接続される。電源の受け部４１０は別の外殻４００の電気輸送部４２０と、電気的に接続される。台座４０がジョイント２０又は照明器具１０に接続される場合に、台座４０は電源の受け部４１０を経由し、電源のコンセントからの供給電力を電気輸送部４２０まで伝送する。これにより、順に電気をジョイント２０又は照明器具１０に伝導し、ジョイント２０又は照明器具１０の必要な電力を供給する。
【００１６】
台座４０と電気輸送部４２０とが接続する位置に、第四スナップイン部４３０を設ける（例えば凹溝又は凸柱）。ジョイント２０と台座４０とが相互に枢設、接続するときに、第一スナップイン部２３０又は第二スナップイン部２４０を経由し、台座４０の対応する第四スナップイン部４３０に嵌め込む。これにより、ジョイント２０は安定かつ丈夫に、台座４０に挿入、接続されると同時に、ジョイント２０も台座４０で回動できる。
【００１７】
（他の実施形態）
本考案の他の実施形態において、照明器具は一つの電気接続ユニットだけに限られない。シャーシの形状は一端の開口設置に限られない。照明器具の表面に、少なくとも一つの電気接続ユニットを設けて、電気接続ユニットと回路基板とを経由し、電力を別の照明器具又はジョイントへ伝送するものは皆、いわゆる照明器具の範疇に含まれる。例えば、図３ｂに示すように、照明器具１０ｂのシャーシ１００ｂの両端にはそれぞれ一つの電気接続ユニット１１２ｂを設ける。その光の透過板１２０ｂもシャーシ１００ｂの両端に嵌め込まれる。
また、他の実施形態において、ジョイントの外殻は他の形状を採用してもよい。ジョイントの外殻に、複数の第一接続部又は複数の第二接続部を設けてもよい。第一接続部は突き出した雄コネクターとして、第二接続部は凹んだ雌コネクターとして採用してもよい。要するに、ジョイントの外殻の表面に、二つ以上の接続部を設けて、ジョイント又は照明器具との相互に接続する軸を中心に単独に回動できれば、本考案のジョイントの範囲である。
【００１８】
以下、本考案の他の実施形態におけるジョイントについて説明する。
図５ｂに示すように、ジョイント２０ｂの外殻２００ｂの形状は円柱状である。その一端に、第一接続部２１０ｂを設ける。ジョイント２０ｂの外殻２００ｂの別端に、第二接続部２２０ｂを設ける。第一接続部２１０ｂと第二接続部２２０ｂは皆、突き出した雄コネクターである。
図５ｃに示すように、ジョイント２０ｃの外殻２００ｃの形状は十字形状である。外殻２００ｃの各端及び上面に、それぞれ、第一接続部２１０ｃを設ける。外殻２００ｃの底面に、第二接続部２２０ｃを設ける。それらの第一接続部２１０ｃは凹んだ雌コネクターであり、第二接続部２２０ｃは突き出した雄コネクターである。
【００１９】
図５ｄに示すように、ジョイント２０ｄの外殻２００ｄの形状は十字形状である。外殻２００ｄの各端に、それぞれ、第一接続部２１０ｄを設ける。外殻２００ｄの底面に、第二接続部２２０ｄを設ける。それらの第一接続部２１０ｄは凹んだ雌コネクターであり、第二接続部２２０ｄは突き出した雄コネクターである。
【００２０】
図５ｅに示すように、ジョイント２０ｅの外殻２００ｅの形状はＴ字形状である。外殻２００ｅの対応する両端及び外殻２００ｅの正面の対応する両端に、それぞれ第一接続部２１０ｅを設ける。外殻２００ｅの底端に、第二接続部２２０ｅを設ける。それらの第一接続部２１０ｅは凹んだ雌コネクターであり、第二接続部２２０ｅは突き出した雄コネクターである。
【００２１】
図５ｆに示すように、ジョイント２０ｆの外殻２００ｆの形状はＬ字形状である。外殻２００ｆの両端に、それぞれ、第一接続部２１０ｆを設ける。外殻２００ｆの両端の間の表面に、第二接続部２２０ｆを設ける。それらの第一接続部２１０ｆは凹んだ雌コネクターであり、第二接続部２２０ｆは突き出した雄コネクターである。
【００２２】
図５ｇに示すように、ジョイント２０ｇの外殻２００ｇの形状はＬ字形状である。外殻２００ｇの一端に、第一接続部２１０ｇを設ける。外殻２００ｇの別端に、第二接続部２２０ｇを設ける。第一接続部２１０ｇは凹んだ雌コネクターであり、第二接続部２２０ｇは突き出した雄コネクターである。
【００２３】
（考案の効果）
以上の内容をまとめると、本考案は従来のレールランプシステムと比べれば、次の効果又は目的を達成する。
（１）本考案の一実施形態の照明装置の場合、ジョイント２０で、直接に、照明器具１０を着脱することができる。従来のレールランプシステムのように、レールの末端からランプを着脱する必要が無いので、本考案は照明器具１０の取付を十分に簡易化させ、必要な取付時間を省くことができる。
（２）本考案の一実施形態の照明装置の場合、従来のレールランプシステムがランプの投射方向を変更することができなかったという欠陥を克服する。すなわち、レールユニットの別側へ光を投射し、室内飾り又は特定照明が任意の位置、任意の角度へ投射するというニーズを満足する。
【００２４】
（３）図６から図８に示すように、各照明器具１０、１０ｂ、ジョイント２０、２０ｆ、２０ｇ、及び台座４０、４０ｂ、４０ｃは直列の接続方式に限られない。各ジョイントは環境のニーズに応じて、ジョイントの第二接続部を経由し、別のジョイントの側辺における第一接続部に挿入、接続される。これにより、ユーザはフレキシブルに、別のジョイントまたは照明器具を第一接続部に追加し、照明装置を所望の形状に組み立てることができる。また、組み立てたあとの形状は丈夫かつ安定である。このような組み立ての構造は従来のレールランプシステムを取り変えるばかりでなく、異なる活動場所に応じて、所望の形状に組み立てることができ、活動のニーズを満足する。
以上は本考案の理想的な実施形態だけであり、いずれの制限もない。本考案の技術思想で、その技術の習熟者がいずれの局部の変更、修飾をしても、皆、本考案の請求範疇に含まれる。
【図面の簡単な説明】
【００２５】
【図１】本考案の一実施形態による照明装置を示す分解斜視図である。
【図２】本考案の一実施形態による照明装置におけるジョイントと照明器具との接続を示す部分断面図である。
【図３ａ】本考案の一実施形態による照明装置における照明器具を示す分解斜視図である。
【図３ｂ】本考案の他の実施形態による照明装置おける照明器具を示す斜視図である。
【図４ａ】本考案の一実施形態による照明装置の操作を示す模式図である。
【図４ｂ】本考案の一実施形態による照明装置の操作を示す模式図である。
【図４ｃ】本考案の一実施形態による照明装置の操作を示す模式図である。
【図５ａ】本考案の一実施形態による照明装置のジョイントを示す斜視図である。
【図５ｂ】本考案の他の実施形態による照明装置のジョイントを示す斜視図である。
【図５ｃ】本考案の他の実施形態による照明装置のジョイントを示す斜視図である。
【図５ｄ】本考案の他の実施形態による照明装置のジョイントを示す斜視図である。
【図５ｅ】本考案の他の実施形態による照明装置のジョイントを示す斜視図である。
【図５ｆ】本考案の他の実施形態による照明装置のジョイントを示す斜視図である。
【図５ｇ】本考案の他の実施形態による照明装置のジョイントを示す斜視図である。
【図６】本考案の照明装置における照明器具及びジョイントの組み立て構造を示す斜視図である。
【図７】本考案の照明装置における照明器具及びジョイントの組み立て構造を示す分解斜視図である。
【図８】本考案の照明装置における照明器具及びジョイントの組み立て構造を示す斜視図である。
【符号の説明】
【００２６】
１０：照明器具、１００：シャーシ、１０１：開口、１０２：収容空間、１１０：ランプ、１１１：回路基板、１１２：電気接続ユニット、１１３：発光ユニット、１１４：第三スナップイン部、１２０：光の透過板、２０：ジョイント、２００：外殻、２１０：第一接続部、２１１：第一負極体、２１２：第一正極体、２２０：第二接続部、２２１：第二負極体、２２２：第二正極体、２３０：第一スナップイン部、２４０：第二スナップイン部、４０：台座、４００：外殻、４１０：電源の受け部、４２０：電気輸送部、４３０：第四スナップイン部
【図１】
0003140515.tif 000003
【図２】
0003140515.tif 000004
【図３ａ】
0003140515.tif 000005
【図３ｂ】
0003140515.tif 000006
【図４ａ】
0003140515.tif 000007
【図４ｂ】
0003140515.tif 000008
【図４ｃ】
0003140515.tif 000009
【図５ａ】
0003140515.tif 000010
【図５ｂ】
0003140515.tif 000011
【図５ｃ】
0003140515.tif 000012
【図５ｄ】
0003140515.tif 000013
【図５ｅ】
0003140515.tif 000014
【図５ｆ】
0003140515.tif 000015
【図５ｇ】
0003140515.tif 000016
【図６】
0003140515.tif 000017
【図７】
0003140515.tif 000018
【図８】
0003140515.tif 000019